(57)【要約】      （修正有）【課題】より取れ難い眼部を備えた疑似餌を提供する。【解決手段】上記課題解決のため、魚釣りにおいて使用する疑似餌１Ａであって、孔２０Ａが形成された本体２Ａと、孔２０Ａに嵌り込むように取り付けられた眼部５Ａと、を備え、孔２０Ａは、本体２Ａを貫通する貫通孔であり、眼部５Ａは、眼パーツ５１Ａと、眼パーツ５１Ａと同素材で形成された取り付け部材５２と、を有し、取り付け部材５２が孔２０Ａに挿通され、取り付け部材５２における挿通の方向における両端夫々に対して眼パーツ５１Ａが貼着されることで、孔２０Ａに眼部５Ａが嵌りこむように取り付けられる。【選択図】図６
0003225690.tif 000002
【実用新案登録請求の範囲】
【請求項１】
魚釣りにおいて使用する疑似餌であって、
孔が形成された本体と、
前記孔に嵌り込むように取り付けられた眼部と、
を備えたことを特徴とする疑似餌。
【請求項２】
前記孔は、本体に穿設された有底孔であり、
前記眼部は、板状の眼パーツを有し、
前記孔の底部に対して前記眼パーツの一面が貼着されることで、前記孔に眼部が嵌りこむように取り付けられた、
ことを特徴とする請求項１に記載の疑似餌。
【請求項３】
前記眼部は、少なくとも２個の光透過性のある前記眼パーツを有し、前記孔は、前記本体において互いに対向する位置に２個形成されて夫々前記眼パーツが貼着され、前記２個の孔の底部を連通する連通孔が前記本体に形成されている、
ことを特徴とする請求項２に記載の疑似餌。
【請求項４】
前記孔は、前記本体を貫通する貫通孔であり、
前記眼部は、少なくとも２個の眼パーツと、当該眼パーツと同素材で形成された取り付け部材と、を有し、
前記取り付け部材が前記孔に挿通され、前記取り付け部材における前記挿通の方向における両端夫々に対して前記眼パーツが貼着されることで、前記孔に前記眼部が嵌りこむように取り付けられた、
ことを特徴とする請求項１に記載の疑似餌。
【請求項５】
前記眼パーツは、前記孔の径よりも径が大きい略円形の板状部材であり、
前記取り付け部材は、上面及び底面を有する柱状の部材であり、
前記取り付け部材の上面及び底面に対して前記眼パーツが貼着されることで、前記孔に眼部が嵌りこむように取り付けられた、
ことを特徴とする請求項４に記載の疑似餌。
【請求項６】
前記本体が、弾性変形可能な軟質材料により形成されている、
ことを特徴とする請求項４又は５に記載の疑似餌。
【考案の詳細な説明】
【技術分野】
【０００１】
本考案は、魚釣りにおいて使用する疑似餌に関し、特に眼部の取り付け構造に特徴を有する。
【背景技術】
【０００２】
従来、眼部が本体に取り付けられた疑似餌は広く知られている。この様な疑似餌は、例えば、特許文献１に示すように、本体の側面（両脇腹）に眼部である目玉模様のシールが貼着されて取り付けられる。
【先行技術文献】
【特許文献】
【０００３】
【特許文献１】特開２００６−１０７８２７号公報
【考案の概要】
【考案が解決しようとする課題】
【０００４】
上述したような従来の疑似餌では、眼部である目玉模様のシールが本体の側面に貼着されているだけであるため、水流により剥がれ易かった。
【０００５】
そこで、本考案の課題は、より取れ難い眼部を備えた疑似餌を提供することである。
【課題を解決するための手段】
【０００６】
（１）上記課題を解決するために、本考案に係る疑似餌は魚釣りにおいて使用する疑似餌であって、孔が形成された本体と、前記孔に嵌り込むように取り付けられた眼部と、
を備えたことを特徴とする。
【０００７】
上記構成によれば、眼部が本体に形成された孔に嵌り込むように取り付けられているため、本体の側面（両脇腹）に眼部である目玉模様のシールを貼着する従来技術と比較して、眼部を強固に本体に取り付けることが可能となる。
【０００８】
（２）上記（１）の疑似餌において、前記孔は、本体に穿設された有底孔であり、前記眼部は、板状の眼パーツを有し、前記孔の底部に対して前記眼パーツの一面が貼着されることで、前記孔に眼部が嵌りこむように取り付けられた、ことを特徴としてもよい。
【０００９】
上記構成によれば、本体に形成された有底孔の底部に対して、板状の眼パーツの一面が貼着されることで、眼パーツが有底孔に嵌り込むようにして本体に取り付けられているため、眼パーツの貼着部位が本体に埋まった状態となる。これによって、釣りにおいて疑似餌を水につけた際に、貼着部位が水流によって剥がれにくくなるため、眼部をより強固に本体に対して取り付けることができる。また、眼パーツは板状であり、その一面が有底孔の底部に貼着されるため、眼パーツおける孔から突出している部位を小さくすることができ、これによっても本体に対して眼部を強固に取り付けることが可能になる。
【００１０】
（３）上記（２）に記載の疑似餌であって、前記眼部は、少なくとも２個の光透過性のある前記眼パーツを有し、前記孔は、前記本体において対向する位置に２個形成されて夫々前記眼パーツが貼着され、前記２個の孔の底部を連通する連通孔が前記本体に形成されている、ことを特徴としてもよい。
【００１１】
上記構成によれば、２個の孔の底部が連通孔によって連通されているため、光透過性のある眼パーツを介して、一方の孔からの光を他方の孔に透過させることができる。なお、水圧を考慮して、連通孔内に透明の樹脂等を充填させてもよい。
【００１２】
（４）上記（１）の疑似餌において、前記孔は、前記本体を貫通する貫通孔であり、前記眼部は、少なくとも２個の眼パーツと、当該眼パーツと同素材で形成された取り付け部材と、を有し、前記取り付け部材が前記孔に挿通され、前記取り付け部材における前記挿通の方向における両端夫々に対して前記眼パーツが貼着されることで、前記孔に前記眼部が嵌りこむように取り付けられた、ことを特徴としてもよい。
【００１３】
上記構成によれば、本体に形成された貫通孔に取り付け部材を挿通し、この取り付け部材における貫通孔への挿通方向の両端に眼パーツが貼着される。このように、取り付け部材は貫通孔に挿通されているため本体から外れ難く、かつ、取り付け部材と眼パーツとは同素材であるため互いに強固に接着することが可能となる。これによって、眼部を本体に対してより強固に取り付けることが可能となる。
【００１４】
（５）上記（４）の疑似餌において、前記眼パーツは、前記孔の径よりも径が大きい略円形の板状部材であり、前記取り付け部材は、上面及び底面を有する柱状の部材であり、前記取り付け部材の上面及び底面に対して前記眼パーツが貼着されることで、前記孔に眼部が嵌りこむように取り付けられた、ことを特徴としてもよい。
【００１５】
上記構成によれば、眼パーツが孔の径よりも径が大きい略円形の板状部材であるため、眼パーツが取り付け部材の上面及び底面に対して貼着されることで、本体に眼パーツが係って眼部が孔から外れない。これによって、簡易な構成で、眼部を本体に対して強固に取り付けることができる。
【００１６】
（６）上記（４）又は（５）に記載の疑似餌において、前記本体が、弾性変形可能な軟質材料により形成されている、ことを特徴としてもよい。
【００１７】
上記構成によれば、本体が弾性変形可能な軟質材料によって形成されるもの（いわゆる「ソフトルアー」や「ワーム」）である。疑似餌が軟質に形成された構成においては、本体自体の眼部の取り付け構造を複雑に加工し難いが、上記（４）（５）の構成を採用すれば、本体自体には、単に貫通孔を形成するだけでよいため、上記（４）（５）の構成を採用するに適している。また、本体と眼パーツとを異素材で形成しても、好適に本体に対して眼パーツを取り付けることができるため、反射性や透過性のあるように眼パーツを形成し易くなる。
【考案の効果】
【００１８】
上記構成によれば、より取れ難い眼部を備えた疑似餌を提供することができる。
【図面の簡単な説明】
【００１９】
【図１】本発明の第１実施形態に係る疑似餌の正面図である。
【図２】図１で示す疑似餌のＡ−Ａ矢視断面図である。
【図３】図２の部分拡大図である。
【図４】本発明の第２実施形態に係る疑似餌の正面図である。
【図５】図４で示す疑似餌のＢ−Ｂ矢視断面図である。
【図６】図５の部分拡大図である。
【考案を実施するための形態】
【００２０】
（第１実施形態）
以下に、図１から図３を用いて、本考案を適用した第１実施形態に係る疑似餌の構成を説明する。図１は、本発明の第１実施形態に係る疑似餌の正面図である。図２は、図１で示す疑似餌の平面図である。図３は、図２で示す平面図の部分拡大図である。なお、第１実施形態において、図１の手前を疑似餌１の前、図１の奥を疑似餌１の後、図１の右側を疑似餌１の右側、図１の左側を疑似餌１の左側、図１の上を疑似餌１の上側、図１の下を疑似餌１の下側として説明する。第１実施形態に係る疑似餌１は、魚釣りにおいて餌の代わりに使用する疑似餌であって、鉛又はタングステン等の金属製の本体２を備えた、いわゆるメタルジグといわれるものである。疑似餌１は、魚を模しているが、ザリガニや昆虫等の魚のほかの生物を模したものであってもよい。
【００２１】
疑似餌１は、左右方向に長尺に形成されて魚の胴体を模した本体２と、本体２の左端に取り付けられた、釣り糸が装着される輪状の部材３と、本体２の右端に取り付けられた、釣り針が装着される輪状の部材４とを備える。本体２は、孔２０が形成され、この孔２０に嵌り込むように眼部５が取り付けられている（疑似餌１は、孔２０が形成された本体２と、孔２０に嵌り込むように取り付けられた眼部５と、を備えている）。このように、眼部５が本体２に形成された孔２０に嵌り込むように取り付けられているため、本体の側面（両脇腹）に眼部である目玉模様のシールを貼着する従来技術と比較して、眼部５を強固に本体２に取り付けることが可能となる。
【００２２】
第１実施形態に係る疑似餌１において、眼部５は２個の光透過性のある眼パーツ５１を有し、孔２０は、本体２に穿設された有底孔であり、本体２において互いに対向する位置に２個形成されて夫々眼パーツ５１が貼着され、２個の孔２０の底部２０１を連通する連通孔２１が本体２に形成されている。より具体的に説明すると、本体２の前面及び後面夫々が円柱状（前後方向の延びる円柱状）に切り抜かれたように孔２０が形成され、これらの孔２０の底部２０１同士を連通する連通孔２１が前後方向に延びるように形成されている。なお、連通孔２１は、孔２０の底部２０１よりも径の小さい円柱状に本体２がくり抜かれたように形成されている。
【００２３】
眼部５は、例えばポリカーボネイト等の樹脂製の板状の眼パーツ５１を有し、孔２０の底部に対して眼パーツ５１の一面が接着剤等（例えば、ラッカー剤等）で貼着されることで、孔２０に眼部５が嵌りこむように取り付けられている。なお、眼パーツ５１は必ずしも樹脂製でなくてもよく、金属等の別の材料で形成されてもよい。眼パーツ５１は、前方又は後方から視認して、孔２０より小さい径を有する略円形に形成されており、眼パーツ５１が孔２０の底部２０１に貼着されることにより、孔２０が塞がれるようになっている。このように、第１実施形態では、本体２０に形成された有底孔２０の底部に対して、板状の眼パーツ５１の一面が貼着されることで、眼パーツ５１が有底孔（孔２０）に嵌り込むようにして本体２に取り付けられているため、眼パーツ５の貼着部位が本体２に埋まった状態となる。これによって、釣りにおいて疑似餌１を水につけた際に、貼着部位が水流によって剥がれにくくなるため、眼部５をより強固に本体２に対して取り付けることができる。また、眼パーツ５は板状であり、その一面が有底孔である孔２０の底部に貼着されるため、眼パーツ５おける孔２０から突出している部位を小さくすることができ、これによっても本体２に対して眼部５を強固に取り付けることが可能になる。また、第１実施形態に係る疑似餌１によれば、２個の孔２０の底部２０１が連通孔２１によって連通されているため、光透過性のある眼パーツ５を介して、一方の孔２０からの光を他方の孔２０に透過させることができる。なお、水圧を考慮して、連通孔２１内に透明の樹脂を充填させてもよい。
【００２４】
なお、第１実施形態では、２個の孔２０の底部２０１は連通孔２１によって連通されていたが、必ずしも連通されていなくてもよい。この場合には、本体２に連通孔２１が形成されず、２個の孔２０に対して眼パーツを接着する際に、夫々の孔２０に対して接着剤を塗布して目パーツ５１を貼着すればよい。この場合には、本体２に対して、孔２０が２個形成される必要はなく、１個のみ形成されて１個の眼パーツ５１のみ本体２に貼着されてもよい。
【００２５】
上記第１実施形態では、本体２が金属製であるため、有底孔である孔２を穿設して、底部２０１を連結する連通孔２１を形成するといったような加工をしやすく、第１実施形態における眼部５の本体２の取り付け構造を採用するに適している。もっとも、本体２を弾性変形可能な軟質材料で形成して、第１実施形態に係る眼部５の本体２への取り付け構造を採用してもよい。また、孔２０や連通孔２１の形状は、円柱状に限定されず、四角柱等の他の柱状等であってもよい。また、眼パーツ５１の形状も、前方又は後方から視認して、略円形に限定されず、多角形等の他の形状であってもよい。
【００２６】
（第２実施形態）
次に、図４から図６を参照して、第２実施形態に係る疑似餌を説明する。図４は、本発明の第２実施形態に係る疑似餌の正面図である。図５は、図４で示す疑似餌のＢ−Ｂ矢視断面図である。図６は、図５の部分拡大図である。なお、第２実施形態において、図３の手前を疑似餌１Ａの前、図３の奥を疑似餌１Ａの後、図３の右側を疑似餌１Ａの右側、図３の左側を疑似餌１Ａの左側、図３の上を疑似餌１Ａの上側、図３の下を疑似餌１Ａの下側として説明する。第２実施形態に係る疑似餌１Ａは、エラストマー等の樹脂やゴム等の弾性変形可能な軟質材料で形成されたもの（例えば、いわゆるソフトルアーやワームといわれる疑似餌）である。なお、疑似餌１Ａは、魚を模しているが、ザリガニや昆虫等の魚のほかの生物を模したものであってもよい。
【００２７】
第２実施形態に係る疑似餌１Ａは、第１実施形態に係る疑似餌１と同様に、左右方向に長尺に形成されて魚の胴体を模した本体２Ａを有し、この本体２Ａに孔２０Ａが形成され、この孔２０Ａに嵌り込むように眼部５Ａが取り付けられている（疑似餌１Ａは、孔２０Ａが形成された本体２Ａと、孔２０Ａに嵌り込むように取り付けられた眼部５Ａと、を備えている）。このため、第２実施形態に係る疑似餌１Ａによっても、第１実施形態に係る疑似餌１と同様に、眼部５Ａが本体２Ａに形成された孔２０Ａに嵌り込むように取り付けられているため、本体の側面（両脇腹）に眼部である目玉模様のシールを貼着する従来技術と比較して、眼部５Ａを強固に本体２Ａに取り付けることが可能となる。なお、第２実施形態に係る疑似餌１Ａは、上述したように、いわゆるソフトルアーやワームといわれる軟質なものであるため、第１実施形態の疑似餌のような輪状の部材３、４を備えない。疑似餌１Ａは、本体２Ａに釣り糸が取り付けられた釣り針が差し込まれて、釣り針の先端が抜き出されるようにして、釣り糸及び釣り針が取り付けられる。
【００２８】
本体２Ａに形成された孔２０Ａは、本体２Ａを前後方向に貫通する貫通孔である。眼部５Ａは、２個の眼パーツ５１Ａと、当該眼パーツ５１Ａと同素材（例えば、樹脂等）で形成された取り付け部材５２とを有する。取り付け部材５２が孔２０Ａに挿通され、取り付け部における挿通の方向における両端（右端及び左端）夫々に対して眼パーツ５１が貼着されることで、孔２０Ａに眼部５Ａが嵌りこむように取り付けられている。このように、取り付け部材５２は貫通孔である孔２０Ａに挿通されているため本体２Ａから外れ難く、かつ、取り付け部材５２と眼パーツ５１とは同素材であるため互いに強固に接着することが可能となる。これによって、眼部５Ａを本体２Ａに対してより強固に取り付けることが可能となる。
【００２９】
第２実施形態では、孔２０Ａは、前後方向に延びる円柱状に形成されており、眼パーツ５１Ａは、前方視において、孔２０Ａの径よりも径が大きい略円形の板状部材に形成されている。取り付け部材５２は、上面及び底面を有する円柱状（孔２０Ａよりも径の小さい円柱状）の部材であり、孔２０Ａの前方に上面、後方に底面が位置するように、孔２０Ａ内に嵌め込まれる。この状態で、取り付け部材５２の上面及び底面に対して眼パーツ５１Ａが夫々貼着（例えば、ラッカー剤等の接着剤によって貼着）されることで、孔２０Ａに眼部５Ａが嵌りこむように取り付けられている。この構成によれば、眼パーツ５１Ａが孔２０Ａの径よりも径が大きいため、眼パーツ５１Ａが取り付け部材５２の上面及び底面に対して貼着されることで、本体２Ａに眼パーツ５１Ａが係って眼部５Ａが孔２０Ａから外れない。これによって、簡易な構成で、眼部５Ａを本体２Ａに対して強固に取り付けることができる。
【００３０】
なお、第２実施形態では、眼パーツ５１Ａが孔２０Ａの径よりも径が大きく形成され、体２Ａに眼パーツ５１Ａが係って眼部５Ａが孔２０Ａから外れないように取り付けられているが、必ずしもこのように構成しなくてもよい。眼パーツ５１Ａの径が孔２０Ａの径よりも小さく形成されて、取り付け部材５２の側面が孔２０Ａ内に接着される等して孔２０Ａに眼部５Ａが取り付けられてもよい。また、眼パーツ５１Ａの形状は、前方又は後方から視認して板状の略円形の部材でなくてもよく、多角形等の他の形状や球体や立方体であってもよい。また、孔２０Ａの形状も円柱状に限らず、四角柱等の他の形状であってもよく、貫通孔であればよい。取り付け部材５２の形状も同様に円柱状でなくてもよく、四角柱等の他の形状であってもよい。
【００３１】
上述したよう、第２実施形態に係る疑似餌１Ａは、本体がエラストマー等の樹脂やゴム等の弾性変形可能な軟質材料によって形成されるもの（いわゆる「ソフトルアー」や「ワーム」）である。疑似餌１Ａが軟質に形成された構成においては、本体２Ａ自体の眼部の取り付け構造を複雑に加工し難いが、上述した第２実施形態に係る眼部５Ａの本体２Ａへの取り付け構造を採用すれば、本体２Ａ自体には、単に貫通孔である孔２０Ａを形成するだけでよいため、この様な構成を採用するに適している。また、第２実施形態に係る疑似餌１Ａでは、本体２Ａと眼パーツ５１Ａとが異素材で形成されているが、この様な場合でも、取り付け部材５２を介して好適に本体２Ａに対して眼パーツ５１Ａを取り付けることができる。このため、光反射性のある眼パーツ５１Ａや光透過性のある眼パーツ５１Ａを採用し易くなる。
【符号の説明】
【００３２】
１、１Ａ            疑似餌
２、２Ａ            本体
２０、２０Ａ        孔
２０１              底部
２１                連通孔
５、５Ａ            眼部
５１、５１Ａ        眼パーツ
５２                取り付け部材
【図１】
0003225690.tif 000003
【図２】
0003225690.tif 000004
【図３】
0003225690.tif 000005
【図４】
0003225690.tif 000006
【図５】
0003225690.tif 000007
【図６】
0003225690.tif 000008